(57)【要約】【課題】  放送データなどを受信して行われるソフトウェアの更新が、ユーザに良好に告知できるようにする。【解決手段】  ソフトウェア更新データを受信部１２で受信した場合に、受信したソフトウェア更新データにより、ソフトウェアの更新処理を必要な個所で実行させ、その更新処理の実行中に、操作入力部２３又は２４で装置を起動させる操作入力があると、映像処理部１４で最低限の表示処理又はオーディオ処理部１５での最低限のオーディオ出力処理を実行させるようにした。例えば、映像処理に関係した処理部以外が更新されている場合に、映像処理部１４で、更新中を示す最低限の表示を行うようにした。【選択図】      図１
2007060271.tif 000002
【特許請求の範囲】
【請求項１】
放送データを受信するとともに、前記放送データとして受信したソフトウェア更新データにより、ソフトウェアの更新が可能な放送データ受信装置において、
放送データの受信を行う受信部と、
前記受信部で受信した放送データに含まれる映像データ及び／又はオーディオデータを、記憶したソフトウェアに基づいて、映像の表示及び／又はオーディオ出力のために処理する映像及び／又はオーディオ処理部と、
ユーザ操作を受付ける操作入力部と、
前記映像及び／又はオーディオ処理部での処理の制御を行い、前記ソフトウェア更新データを前記受信部で受信した場合に、受信したソフトウェア更新データにより、ソフトウェアの更新処理を必要な個所で実行させる制御を行い、その更新処理の実行中に、前記操作入力部で装置を起動させる操作入力があると、前記映像処理部で最低限の表示処理又は前記オーディオ処理部での最低限のオーディオ出力処理を実行させる制御部とを備えることを特徴とする
放送データ受信装置。
【請求項２】
請求項１記載の放送データ受信装置において、
前記映像処理部での最低限の表示処理としては、表示部にソフトウェアの更新中であることを表示させる表示処理であり、受信した放送データに含まれる映像データの表示処理はしないことを特徴とする
放送データ受信装置。
【請求項３】
請求項２記載の放送データ受信装置において、
前記映像処理部のソフトウェアを更新させる際には、前記ソフトウェアの更新中であることを表示させる表示処理を一時的に停止させることを特徴とする
放送データ受信装置。
【請求項４】
請求項１記載の放送データ受信装置において、
前記オーディオ処理部での最低限のオーディオ出力処理としては、ソフトウェアの更新中であることを示す音声を出力させる処理であり、受信した放送データに含まれるオーディオデータの出力処理はしないことを特徴とする
放送データ受信装置。
【発明の詳細な説明】
【技術分野】
【０００１】
本発明は、例えば、デジタル放送を受信するテレビジョン受像機に適用して好適な放送データ受信装置に関し、特に、受信装置にインストールされているソフトウェアを更新する技術に関する。
【背景技術】
【０００２】
従来、デジタル放送を受信するデジタル放送受信チューナを内蔵したテレビジョン受像機や、単体のデジタル放送受信機においては、受信データを使用して内部のソフトウェアを更新する場合がある。即ち、デジタル化して映像データやオーディオデータを伝送するデータ放送システムにおいては、放送局側から、受像機（受信機）のソフトウェア更新データを、放送データに多重化して送出させることが可能としてあり、受像機の機能の向上や、ソフトウェアの不具合の修正などが行えるようにしてある。
【０００３】
放送データを受信する受像機（受信機）側では、ソフトウェア更新データを受信した場合に、その受信したソフトウェア更新データを内部メモリに蓄積させた上で、その蓄積された更新データを使用して、装置内部のソフトウェアを更新（修正）させる作業を行うようにしてある。
【０００４】
ソフトウェア更新データを受信した受像機側では、更新データの受信が完了してから最初に受像機が電源オフとなったタイミングで、更新作業を開始するようにしてある。
【０００５】
特許文献１には、放送波の受信で、ソフトウェア（ファームウェア）を更新する処理についての開示がある。
【特許文献１】特開２００５−５００９７号公報
【発明の開示】
【発明が解決しようとする課題】
【０００６】
このような放送データを利用したソフトウェアの更新は、受像機を所持するユーザの意思とは無関係に行われるため、例えば受像機が深夜に作動して、更新作業が行われる。更新作業中には、例えば発光ダイオードなどで構成されるパイロットランプを点滅させる等で、ユーザに更新中を告知するようにしてあるが、更新作業そのものが稀にしか行われないため、ユーザには判らないことが多い。
【０００７】
このような更新作業が行われている状態で万一、ユーザが受像機を電源オンとする操作があると、受像機は更新作業中であるために、テレビジョン放送などの受信処理が行えず、放送番組の画像の表示やオーディオ出力が行われない状態になってしまう。このようなことがあると、更新作業が行われていることが判らないユーザにとっては、受像機が故障したものと勘違いしてしまう問題があり、ユーザが不要な操作をしてしまう可能性があった。例えば、最悪の場合、受像機の電源プラグを抜いてしまうようなことがあると、ソフトウェアの更新作業が途中で中断してしまい、ソフトウェアの修正が不完全な状態のままになってしまう可能性もある。
【０００８】
本発明はかかる点に鑑みてなされたものであり、放送データなどを受信して行われるソフトウェアの更新が、ユーザに良好に告知できるようにすることを目的とする。
【課題を解決するための手段】
【０００９】
本発明は、ソフトウェア更新データを受信部で受信した場合に、受信したソフトウェア更新データにより、ソフトウェアの更新処理を必要な個所で実行させる制御を行い、その更新処理の実行中に、操作入力部で装置を起動させる操作入力があると、映像処理部で最低限の表示処理又はオーディオ処理部での最低限のオーディオ出力処理を実行させるようにしたものである。
【００１０】
このようにしたことで、ソフトウェアの更新作業中に、装置を起動させる操作入力があると、最低限の表示処理又はオーディオ出力処理で、ソフトウェア更新中であることをユーザに告知することができるようになる。
【発明の効果】
【００１１】
本発明によると、最低限の表示処理又はオーディオ出力処理で、ソフトウェア更新中であることをユーザに告知することができるようになり、電源オンなどのユーザ操作があった場合に、ソフトウェア更新中であるために受像画像の表示やオーディオ出力などが行えない状況であるときに、そのことがユーザに判り、ユーザに機器故障などの誤判断をさせることがなくなる効果を有する。
【発明を実施するための最良の形態】
【００１２】
以下、本発明の一実施の形態を、添付図面を参照して説明する。
【００１３】
本例においては、デジタル放送（デジタル衛星放送又はデジタル地上波放送）を受信して受像などを行うテレビジョン受像機に適用したものである。図１は、本例のテレビジョン受像機１０の構成を示した図であり、アンテナ１は、受像機１０内のデジタルチューナ１２に接続してあり、デジタルチューナ１２で所定の放送チャンネルを放送波が伝送される周波数を受信し復調して、その周波数の伝送データであるトランスポートストリームＴＳを得る。デジタルチューナ１２での受信周波数（受信チャンネル）については、後述する制御用マイクロコンピュータ部２１からの指令で設定される。
【００１４】
デジタルチューナ１２で得たトランスポートストリームＴＳは、データ処理部１３に供給して、映像データとオーディオデータなどに分離して、分離された映像データを映像処理用マイクロコンピュータ部１４に供給し、オーディオデータをオーディオ処理用マイクロコンピュータ部１５に供給する。また、映像データやオーディオデータ以外の各種データを受信した場合には、この受像機の動作を制御する制御用マイクロコンピュータ部２１に供給する。
【００１５】
映像処理用マイクロコンピュータ部１４では、供給される映像データの復号化や、その復号化された映像データに関する各種映像処理（例えば高画質化処理、付加情報表示処理など）を行い、表示用の映像データとする処理を行う。この映像処理用マイクロコンピュータ部１４は、不揮発性の書き換え可能なメモリ１４ａを備え、このメモリ１４ａに映像処理用のプログラムであるソフトウェアが記憶させてある。
【００１６】
映像処理用マイクロコンピュータ部１４が出力する映像データは、表示パネル駆動部１６に供給して、液晶表示パネルなどの画像表示パネルで構成される表示パネル１７の表示駆動を行い、表示パネル１７に画像を表示させる。
【００１７】
オーディオ処理用マイクロコンピュータ部１５では、供給されるオーディオデータの復調、アナログ変換などのオーディオデータ処理を行い、アナログオーディオ信号を出力する。このオーディオ処理用マイクロコンピュータ部１５は、不揮発性の書き換え可能なメモリ１５ａを備え、このメモリ１５ａにオーディオ処理用のプログラムであるソフトウェアが記憶させてある。オーディオ処理用マイクロコンピュータ部１５が出力するアナログオーディオ信号は、アナログオーディオ処理部１８に供給して、増幅などのアナログ処理を行い、接続されたスピーカ１９Ｌ，１９Ｒからオーディオを出力させる。
【００１８】
この受像機の各部の動作を制御する制御用マイクロコンピュータ部２１は、他のマイクロコンピュータ部１４，１５やチューナ部１２、デジタル処理部１３などとバスラインを介してデータ転送を行う構成としてある。この制御用マイクロコンピュータ部２１についても、不揮発性の書き換え可能なメモリ２１ａを備え、このメモリ２１ａに制御用のプログラムであるソフトウェアが記憶させてある。制御用マイクロコンピュータ部２１が実行する制御処理としては、受信するチャンネルの制御、映像の表示状態の制御、オーディオの出力状態の制御などのテレビジョン受像機としての基本的な動作の他に、放送データに含まれる電子番組情報（ＥＰＧ：Electronic Program Guide）の受信と、その受信して蓄積された電子番組情報による番組表や各種案内情報の表示など、受像機が備える各種機能の制御処理がある。受信して得た電子番組情報についても、メモリ２１ａに記憶させるようにしてある。
【００１９】
制御用マイクロコンピュータ部２１には、発光ダイオード（ＬＥＤ）２２が接続してあり、受像機の動作状況を、発光ダイオード２２の点灯（点滅）状態で告知するようにしてある。例えば、受像機が電源オンの状態であるとき、緑色を点灯させ、スタンバイ状態であるとき、赤色を点灯させる。ここでのスタンバイ状態とは、受像機での表示などの処理が行われていない状態であるが、後述するリモートコントローラ２からの指示で電源オフに起動させることができるように、制御系の回路ブロックなどの最低限の回路にだけ電源が供給されて作動している状態である。また、後述するソフトウェアの更新時には、赤色を点滅させるようにしてある。
【００２０】
本例の受像機１０は、ユーザ操作を受付ける操作入力部として、リモートコントロール信号受光部２３と操作キー２４を備える。リモートコントロール信号受光部２３は、リモートコントローラ２から送信されたリモートコントロール信号（赤外線信号など）を受光して、その受光した制御コードを、制御用マイクロコンピュータ部２１に供給する。操作キー２４が操作された場合にも、その操作によるコードを制御用マイクロコンピュータ部２１に供給するようにしてある。操作キー２４としては、チャンネル選局キー、音量調整キー、入力切換えキー、電源キーなどを備える。
【００２１】
なお、本例のテレビジョン受像機１０が備える電源回路２５としては、制御用マイクロコンピュータ部２１の制御で、必要な個所に電源を供給する構成としてある。即ち、通常の電源オンの状態では、受像機内の各部に電源を供給するが、例えばスタンバイ状態の場合には、そのスタンバイ状態の間に実行される処理に応じて、必要な回路ブロックにだけ電源を供給して作動させる構成としてある。
【００２２】
また、本例のテレビジョン受像機１０の各マイクロコンピュータ部１４，１５，２１が備えるメモリ１４ａ，１５ａ，２１ａに記憶されるソフトウェアは、テレビジョン受像機１０の製造時に書き込まれるが、外部からのソフトウェアの更新データの入力で、それぞれのメモリ１４ａ，１５ａ，２１ａに記憶されるソフトウェアを更新することができる構成としてある。このソフトウェア更新用のデータは、例えばチューナ１２で受信する放送データに付加されたデータで得られる。この更新処理としては、当該受像機の機種のソフトウェア更新用のデータの受信が完了して、制御用マイクロコンピュータ部２１のメモリ２１ａに、その受信したソフトウェア更新用のデータが記憶された状態になると、その後にこの受像機がスタンバイ状態となったタイミングで、ソフトウェア更新を開始する。
【００２３】
ソフトウェア更新作業が開始されると、制御用マイクロコンピュータ部２１から各マイクロコンピュータ部１４，１５に必要なソフトウェア更新データを供給して、各マイクロコンピュータ部１４，１５内のメモリ１４ａ，１５ａに記憶されたソフトウェアの更新作業を行うようにしてある。制御用マイクロコンピュータ部２１内のメモリ２１ａに記憶されるソフトウェアについても必要により更新される。ソフトウェア更新作業中には、制御用マイクロコンピュータ部２１から各マイクロコンピュータ部１４，１５に、更新作業用の専用のコマンドを送信して、更新作業に付随した処理を実行させるようにしてある。
【００２４】
次に、本例のテレビジョン受像機１０で、放送データに付加されて受信したソフトウェア更新データを使用して、ソフトウェアの更新作業中に行われる処理例を、図２のフローチャートを参照して説明する。
【００２５】
まず、ソフトウェアの更新データ（アップデートデータ）の受信が完了して、メモリ２１ａに記憶された状態で、受像機１０の動作状態がスタンバイ状態になると、ソフトウェアの更新を開始しても良いか否かが、制御用マイクロコンピュータ２１で判断される（ステップＳ１１）。更新を開始できない場合には、ステップＳ２６に移ってスタンバイ状態を維持させる。
【００２６】
ステップＳ１１で更新を開始してよい場合には、発光ダイオード２２の点滅を開始させて（ステップＳ１２）、更新作業を開始させる。そして、更新作業が完了したか否か判断し（ステップＳ１３）、更新作業が完了した場合には、発光ダイオード２２の点滅を終了させて（ステップＳ１４）、スタンバイ状態とする（ステップＳ２６）。ステップＳ１３で更新作業が完了していない状況の場合には、リモートコントローラからの電源オンコード（即ち受像機を起動させるコード）を受信したか否か判断する（ステップＳ１５）。電源オンコードを受信しない場合には、ステップＳ１３の更新完了の判断に戻る。ステップＳ１５で電源オンコードを受信したと判断した場合には、制御用マイクロコンピュータ部２１のソフトウェア更新作業中であるか否か判断し（ステップＳ１６）、該当する個所のソフトウェア更新である場合には、そのままステップＳ１３の判断に戻る。
【００２７】
ステップＳ１６で制御用マイクロコンピュータ部２１以外のソフトウェア更新作業中であると判断した場合には、制御用マイクロコンピュータ部２１の制御で、受像機の電源を投入させる（ステップＳ１７）。但しここでの電源投入は、以下に説明するように最低限の動作を行うための電源投入であり、通常の電源投入ではない。そして次に、更新作業が完了したか否か判断し（ステップＳ１８）、更新作業が完了した場合には、発光ダイオード２２の点滅を終了させて（ステップＳ２４）、テレビジョン受像機の電源を投入させる電源オン状態とする（ステップＳ２５）。ここでの電源オン状態は、最後に視聴していたチャンネルを受信して表示させる通常の電源オン処理である。
【００２８】
ステップＳ１８で更新作業が完了していないと判断した場合には、映像処理用マイクロコンピュータ部１４のソフトウェアの更新作業中か否か判断し（ステップＳ１９）、該当する更新作業中である場合には、ステップＳ１８の更新作業完了の判断に戻る。ステップＳ１９で映像処理用マイクロコンピュータ部１４のソフトウェアの更新作業中でないと判断した場合には、制御用マイクロコンピュータ部２１から映像処理用マイクロコンピュータ部１４にコマンドを送って、表示パネル１７に、ソフトウェア更新中を示す文字を表示させる処理を実行させる（ステップＳ２０）。この表示処理は、例えば映像処理用マイクロコンピュータ部１４が備える、案内文字などを表示させる機能を利用して行う。
【００２９】
図３は、この場合の表示例を示した図で、ここではソフトウェア更新中であることを示す文言である「アップデート中」と表示させて、最低限の表示を行うようにしてある。この表示時には、チューナ１２での受信などは行わず、背景は単色で全面的に表示させる状態として、受信映像の表示などは行われない。
【００３０】
図２のフローチャートの説明に戻ると、ステップＳ２０の表示が行われた状態で、さらに映像処理用マイクロコンピュータ部１４のソフトウェアの更新作業が開始されたか否か判断し（ステップＳ２１）、該当する更新作業が開始されない場合には、全てのソフトウェアの更新が完了したか否か判断し（ステップＳ２３）、更新が完了していない場合には、ステップＳ２１の判断に戻る。全ての更新が完了した場合には、発光ダイオード２２の点滅を終了させて（ステップＳ２４）、テレビジョン受像機の電源を投入させる電源オン状態とする（ステップＳ２５）。
【００３１】
ステップＳ２１の判断で、映像処理用マイクロコンピュータ部１４のソフトウェアの更新作業が開始されたと判断した場合には、ステップＳ２０で開始させた文字表示を終了させて、何も表示させない状態として（ステップＳ２２）、ステップＳ１８の判断に戻る。
【００３２】
このようにしてソフトウェア更新中の処理が行われることで、更新作業は受像機がスタンバイ状態であるときに開始されるが、そのスタンバイ状態での更新作業中に受像機を起動させるユーザ操作があると、少なくとも表示に関係した処理部（映像処理用マイクロコンピュータ部１４）以外のソフトウェア更新作業中には、映像処理用マイクロコンピュータ部１４に制御用マイクロコンピュータ部２１からコマンドを送って、ソフトウェア更新中であることを示す最低限の表示を行うので、ユーザにソフトウェア更新中であるために電源オンにできないことを告知できるので、ユーザが故障であると誤って判断することを効果的に防止できる。但し、表示に直接関係した処理部である映像処理用マイクロコンピュータ部１４のソフトウェア更新作業中には、ソフトウェア更新中であることを示す文字が消えるが、他の個所のソフトウェア更新中には表示されるので、受像機が本来持つ表示機能を利用して、表示が可能な限り該当する表示が行われ、良好にユーザに状態を告知できる。
【００３３】
なお、図３の例では、映像により表示される文字として、「アップデート中」などの比較的簡単な表示を行うようにしたが、現在のアップデート状態などの詳細を表示させるようにしてもよい。例えば図４に示すように、「アップデート中  アップデートが完了するまでしばらくお待ち下さい」などと表示させてもよい。或いはまた、更新作業の進行によってアップデート中の表示が消えることがあることを告知する文字などを同時に表示させてもよい。
【００３４】
また、ここまで説明した処理では、映像により「アップデート中」などを表示させて、ユーザにソフトウェアの更新中を告知するようにしたが、ソフトウェア更新中に電源投入操作があった場合に、音声合成した音声のスピーカからの出力で、「アップデート中」などと知らせるようにしてもよい。この音声出力を行う場合には、オーディオ処理用マイクロコンピュータ部で、音声合成した音声データを生成させて、その音声データ（オーディオデータ）を、アナログオーディオ処理部１８に供給してスピーカから出力させるようにすればよく、アナログオーディオ処理部１８には、ソフトウェアの更新中にも電源回路２５から電源を供給して、該当する出力処理が行えるようにすればよい。あるいは、映像による「アップデート中」などの表示と、告知音声の出力処理の双方を行うようにしてもよい。さらに、この映像による「アップデート中」などの表示と、告知音声の出力処理の双方を行う場合には、例えば映像処理用マイクロコンピュータでのソフトウェアの更新中には、音声出力による告知処理を行い、その他のマイクロコンピュータでのソフトウェアの更新中には、映像表示による告知処理を行うように、組み合わせるようにしてもよい。
【００３５】
また、上述した実施の形態では、表示パネルとして、液晶ディスプレイを使用したテレビジョン受像機を例として説明したが、その他の表示原理の表示部を備えた受像機としてもよい。また、表示部を備えない単体のデジタル放送データ受信機において、その受信機にインストールされたソフトウェアを、同様の処理で更新させるようにしてもよい。この場合には、その受信機から出力される映像信号が入力される表示装置で、「アップデート中」などが表示されるか、或いは、受信機から出力されるオーディオ信号を入力するオーディオ機器で、アップデート中の音声が出力されるようになる。
【００３６】
また、上述した実施の形態で説明した装置構成では、更新されるソフトウェアが記憶されたメモリが、各マイクロコンピュータ部に個別に用意される構成としたが、ソフトウェアを構成するプログラム自体は、装置内の所定個所のメモリに一括して記憶させて、そのプログラムに基づいて、各部のマイクロコンピュータ部を作動させる構成の場合にも適用可能である。
【図面の簡単な説明】
【００３７】
【図１】本発明の一実施の形態による構成例を示すブロック図である。
【図２】本発明の一実施の形態によるソフトウェア更新処理例を示したフローチャートである。
【図３】本発明の一実施の形態による表示例を示す説明図である。
【図４】本発明の他の実施の形態による表示例を示す説明図である。
【符号の説明】
【００３８】
１…アンテナ、２…リモートコントローラ、１０…テレビジョン受像機、１２…デジタルチューナ、１３…データ処理部、１４…映像処理用マイクロコンピュータ部、１４ａ…メモリ、１５…オーディオ処理用マイクロコンピュータ部、１５ａ…メモリ、１６…表示パネル駆動部、１７…表示パネル、１８…アナログオーディオ処理部、１９Ｌ，１９Ｒ…スピーカ、２１…制御用マイクロコンピュータ部、２１ａ…メモリ、２２…発光ダイオード、２３…リモートコントロール信号受光部、２４…操作キー、２５…電源回路
【図１】
2007060271.tif 000003
【図２】
2007060271.tif 000004
【図３】
2007060271.tif 000005
【図４】
2007060271.tif 000006